(57)【要約】【課題】従来の仕切装置は、引き出し可能なベルト量を視認することができないものであった。そのため、すでにいっぱいに引き出されているのにも拘わらず、さらにベルトを引き出そうとしてしまい、仕切装置を転倒させてしまうことがあった。このような場合、仕切装置を損傷させるのみならず、その近くにいる者に傷害を負わせることにもなりかねないという問題がある。【解決手段】上記課題を解決するために、ベルトを筒内で上下動する動滑車を介して縦方向に収納する収納機構を有する仕切装置であって、前記動滑車によるベルトの収納機構は、前記動滑車が上位置にあるときはベルトの収納量が少なく、前記動滑車が下位置にあるときはベルトの収納量が多くなるように、構成され、前記筒外から前記動滑車の筒内での位置を視認可能とする動滑車位置視認部を有する仕切装置などを提供する。【選択図】図１
2013217078.tif 000002
【特許請求の範囲】
【請求項１】
ベルトを筒内で上下動する動滑車を介して縦方向に収納する収納機構を有する仕切装置であって、
前記動滑車によるベルトの収納機構は、
前記動滑車が上位置にあるときはベルトの収納量が少なく、
前記動滑車が下位置にあるときはベルトの収納量が多くなるように、
構成され、
前記筒外から前記動滑車の筒内での位置を視認可能とする動滑車位置視認部を有する仕切装置。
【請求項２】
ベルトを筒内で上下動する動滑車を介して縦方向に収納する収納機構を有する仕切装置であって、
前記動滑車によるベルトの収納機構は、
前記動滑車が上位置にあるときはベルトの収納量が多く、
前記動滑車が下位置にあるときはベルトの収納量が少なくなるように、
構成され、
前記筒外から前記動滑車の筒内での位置を視認可能とする動滑車位置視認部を有する仕切装置。
【請求項３】
前記動滑車は、前記収納機構の不動部に設置されるばねに連結されることで下方向に付勢される請求項１に記載の仕切装置。
【請求項４】
前記動滑車は、前記収納機構の不動部に設置されるばねに連結されることで上方向に付勢される請求項２に記載の仕切装置。
【発明の詳細な説明】
【技術分野】
【０００１】
本発明は、引き出されたベルトを張り渡し空間を仕切ることができる仕切装置に関する。
【背景技術】
【０００２】
仕切装置は、仕切装置本体から引き出されたベルトにより人の列を規制したり、区画を仕切ったりするために用いられる。そして、使用しないときは、ベルトは仕切装置本体内に引き入れられて収納される。このような仕切装置に関して、出願人は特許出願を既に行っている。
【先行技術文献】
【特許文献】
【０００３】
【特許文献１】特開平１１−２４１３２２号公報
【発明の概要】
【発明が解決しようとする課題】
【０００４】
上記文献に開示される仕切装置を始めとし、この種の仕切装置の多くは、引き出し可能なベルト量を視認することができないものであった。そのため、すでにいっぱいに引き出されているのにも拘わらずさらにベルトを引き出そうとしてしまい、その結果仕切装置を転倒させてしまうことがあった。このような事態が生じた場合、仕切装置を損傷させるのみならず、その近くにいる者に傷害を負わせることにもなりかねない。
【０００５】
仕切装置は、人の通行や往来を規制するなどのように周囲に人が多数存在する中で使用されることが多い。したがって、その使用の際に人身に対して傷害を負わせないための対策を施す必要がある。
【課題を解決するための手段】
【０００６】
そこで、上記課題を解決するために本発明において、以下の仕切装置を提供する。すなわち、第一の発明としては、ベルトを筒内で上下動する動滑車を介して縦方向に収納する収納機構を有する仕切装置であって、前記動滑車によるベルトの収納機構は、前記動滑車が上位置にあるときはベルトの収納量が少なく、前記動滑車が下位置にあるときはベルトの収納量が多くなるように、構成され、前記筒外から前記動滑車の筒内での位置を視認可能とする動滑車位置視認部を有する仕切装置を提供する。
【０００７】
第二の発明としては、ベルトを筒内で上下動する動滑車を介して縦方向に収納する収納機構を有する仕切装置であって、前記動滑車によるベルトの収納機構は、前記動滑車が上位置にあるときはベルトの収納量が多く、前記動滑車が下位置にあるときはベルトの収納量が少なくなるように、構成され、前記筒外から前記動滑車の筒内での位置を視認可能とする動滑車位置視認部を有する仕切装置を提供する。
【０００８】
第三の発明としては、前記動滑車は、前記収容機構の不動部に設置されるばねに連結されることで下方向に付勢される第一の発明に記載の仕切装置を提供する。
【０００９】
第四の発明としては、前記動滑車は、前記収納機構の不動部に設置されるばねに連結されることで上方向に付勢される第二の発明に記載の仕切装置を提供する。
【発明の効果】
【００１０】
本発明により、動滑車の筒内での位置を視認可能とすることによりベルトが引き出された量が分かり、限度を超えてベルトを引き出そうとすることを防ぎ得る仕切装置を提供することができる。
【図面の簡単な説明】
【００１１】
【図１】実施形態１に係る仕切装置の概念図
【図２】実施形態１に係る収納機構の一例を示す概念図
【図３】実施形態１に係る収納機構の他の例を示す概念図
【図４】実施形態１に係る動滑車位置視認部の概念図
【図５】実施形態１に係る動滑車を付勢するための手段の一例を示す概念図
【図６】実施形態２に係るばねによる動滑車に対する付勢の一例を示す概念図
【発明を実施するための形態】
【００１２】
以下、本発明の実施の形態について、添付図面を用いて説明する。なお、本発明は、これら実施形態に何ら限定されるべきものではなく、その要旨を逸脱しない範囲において、種々なる態様で実施し得る。
【００１３】
実施形態１は、主に請求項１、２などに関する。実施形態２は、主に請求項３、４などに関する。
<実施形態１>
<実施形態１  概要>
【００１４】
本実施形態に係る仕切装置の概念図を図１に示す。図１（ａ）は、ベルト（０１０１）を仕切装置（０１００）からいっぱいに引き出した状態を表している。このベルトは仕切装置の筒内にて動滑車（０１０２）を介して収納されている。仕切装置の筒には筒内を視認できるように上下方向に窓（０１０３）が備わる。そして、ベルトをいっぱいに引き出したときには、動滑車の位置が上方にあることが視認できる。一方、図１（ｂ）はベルトが筒内に収納された状態を表している。このとき、動滑車は窓の下方に位置することが分かる。
【００１５】
このように、ベルトの引き出し量、言い換えればベルトの収納量が、動滑車の位置を視認することにより把握することが可能となる。したがって、例えば、図１（ａ）で示すように、動滑車の位置がもっとも上方にある場合には、それ以上ベルトを引き出すことができないことが分かり、さらに引き出そうとすることを防ぐことができる。
<実施形態１  構成>
【００１６】
本実施形態の仕切装置は、ベルトを筒内で上下動する動滑車を介して縦方向に収納する収納機構を有し、前記動滑車によるベルトの収納機構は、前記動滑車が上位置にあるときはベルトの収納量が少なく、前記動滑車が下位置にあるときはベルトの収納量が多くなるように、構成され、前記筒外から前記動滑車の筒内での位置を視認可能とする動滑車位置視認部を有する。
【００１７】
「収納機構」は、ベルトを筒内で上下動する動滑車を介して縦方向に収納する。図２は筒内における収納機構の一例を示す概念図である。ここでは、２つの定滑車と１つの動滑車とを有する収納機構の例を示す。なお、説明の便宜のためベルトは紐状に示すこととする。まず、ベルト（０２０５）は、その一端を保持するための部材（０２０４）に保持され、保持される一端から一の定滑車（０２０２）、保持する部材に備わる動滑車（０２０３）、二の定滑車（０２０１）の順に経由して他端に至り、この他端が筒外にて引き出される。これらの各要素を含んで収納機構（０２００）は構成される。
【００１８】
一の定滑車及び二の定滑車は、筒内に固定される。図示した場合においては、筒内の上方に二の定滑車を備えるとともに、二の定滑車に近い位置に一の定滑車を配置することにより、ベルトの収納量を多くしている。また、二の定滑車は筒内における軸の位置や方向を調節することで、筒外に引き出されるベルトの向きや姿勢を適宜整えることができる。
【００１９】
図２（ａ）はベルトを筒内に多く収納した状態を示している。このとき、動滑車は筒内の下方に位置する。また、図２（ｂ）は、ベルトを筒外にいっぱいに引き出し、収納量が少なくなっている状態を示している。このとき、動滑車は筒内の上方に位置する。このように、筒内のベルトの収納量の変動に応じて動滑車の位置も上下に変動する。また、動滑車及び定滑車を介してベルトを折り返して収納することにより、筒の断面形状を扁平にすることが可能となる。
【００２０】
図３は、３つの定滑車と１つの動滑車とを有する収納機構の例を示すものである。この場合には、２つの定滑車（０３０２、０３０３）は筒内の下方に固定され、ベルトの向きなどを整える定滑車（０３０１）は筒内の上方に固定される。
【００２１】
図３（ａ）は、ベルトを筒内に多く収納した状態を示している。このとき、動滑車（０３０４）は筒内の上方に位置する。また、図３（ｂ）は、ベルトを筒外にいっぱいに引き出し、収納量が少なくなっている状態を示している。このとき、動滑車は筒内の下方に位置する。
【００２２】
「動滑車位置視認部」は、筒外から動滑車の筒内での位置を視認可能とするために備わる。図４は、動滑車位置視認部を例示する図である。図４（ａ）は、上下動する動滑車（０４０２）の動線に沿って筒（０４０１）の一部に窓（０４０３）を設けたものである。この窓から上下動する動滑車の位置を視認することができ、その結果筒内にどれほどのベルトが収納されているかが分かる。この窓は、透明又は半透明などの光透過性の材料により構成され、また、無色であっても有色であってもよい。
【００２３】
図４（ｂ）は、両端部分を除いた筒（０４０４）のほとんどを光透過性の材料（０４０６）により構成し、動滑車（０４０５）を筒外から視認可能としたものである。このような筒は、例えば、ポリカーボネートを押出し加工することで形成することができる。
【００２４】
なお、図４はいずれも動滑車そのものが筒外から見えるようにすることで、その位置を視認可能に構成しているが、動滑車そのものが見えなくとも動滑車の位置に応じて上下動する標識やベルトの一端と動滑車とを保持する部材などを視認可能にすることにより、間接的に動滑車の位置を視認可能にするように構成してもよい。また、動滑車の上下動と逆に上下動する標識等を視認可能にしてもよい。すなわち、動滑車が上方に位置するときは下方に位置し、動滑車が下方に位置するときは上方に位置するように上下動する標識等を視認可能にしてもよい。このように、「動滑車の位置を視認可能とする」ということは、動滑車の位置を推認し得るための何らかの標識等を見る者に提示することをも含むものである。
【００２５】
また、引き出されたベルトが自然に筒内に収納されるように付勢するための手段を備えることは、使い勝手を向上させるうえで好ましい。図５は、動滑車を付勢するための手段の一例を示すものである。図示した収納機構は、図２に示したように２つの定滑車（０５０１、０５０２）と１つの動滑車（０５０３）を用いたものである。ここで、動滑車を保持する部材に錘（０５０５）が付けられている。この錘に作用する重力により動滑車は下方に付勢される。したがって、筒外に引き出されたベルト（０５０４）に対してこれを筒内に引き戻そうとする力が働く。
<実施形態１  効果>
【００２６】
本実施形態の仕切装置により、動滑車の位置が視認可能となり筒内に収納されているベルトの量が容易に把握することができる。
<実施形態２>
<実施形態２  概要>
【００２７】
本実施形態の仕切装置は、動滑車と収納機構の不動部とをばねで連結することで、動滑車を付勢するものである。ばねを用いることで様々な態様にて動滑車を付勢することができ設計の自由度を向上させることが可能となる。
<実施形態２  構成>
【００２８】
本実施形態の仕切装置において、動滑車は、収納機構の不動部に設置されるばねに連結されることで下方向又は上方向に付勢される。
【００２９】
「不動部」は、収納機構において、上下動する動滑車とは異なりその位置が固定された部位をいう。例えば、筒内の底部や頂部などの所定の部位が該当する。この不動部と動滑車とをばねで連結することにより当該ばねの弾性力により所定の方向に動滑車を付勢することが可能となる。
【００３０】
図６は、ばねによる動滑車に対する付勢の例を示すものであり、２つの定滑車（０６０１、０６０２）と１つの動滑車（０６０３）を介した収納機構を有する仕切装置の場合を示している。図６（ａ）においては、筒（０６０４）の内底部（０６０５）が不動部に該当する。この不動部と動滑車とが引きばね（０６０６）で連結されることにより、動滑車は下方向に付勢される。
【００３１】
また、図６（ｂ）に示すように、ドラム（０６０８）に帯状金属（０６０９）を巻き付けたばね（０６０７）を用いてもよい。このようなばねは上下方向の丈が短いため、錘や引きばねを用いて付勢する場合に比べ動滑車の上下の可動範囲をより長くすることができる場合があり、筒内に収納できるベルト長をより長くし得る。例えば、主に子供の通行などを規制するための仕切装置の場合には、主に大人を対象とする場合よりもその高さを抑える必要があるが、このような場合にとくに有効である。
【００３２】
なお、動滑車を下方向に付勢するためのばねは、筒の内底部に連結される場合に限られない。例えば、筒の内頂部を不動部とし、その不動部と動滑車とを押しばねにより連結する場合にも、動滑車は下方向に付勢される。
【００３３】
また、図３に示したように３つの定滑車を用いる場合には、動滑車を上方向に付勢することで、ベルトを筒内に引き戻そうとする力が働くことになる。この場合においても、ばねを連結する不動部は２つの定滑車を用いる場合と同様にばねの種類などに応じて適宜構成し得る。
<実施形態２  効果>
【００３４】
本実施形態により、動滑車を付勢させるための設計の自由度が高い仕切装置を提供することができる。
【符号の説明】
【００３５】
０１００  仕切装置
０１０１  ベルト
０１０２  動滑車
０１０３  窓
【図１】
2013217078.tif 000003
【図２】
2013217078.tif 000004
【図３】
2013217078.tif 000005
【図４】
2013217078.tif 000006
【図５】
2013217078.tif 000007
【図６】
2013217078.tif 000008